(57)【要約】  動作中に、５５Ｈｚ〜１２０Ｈｚの範囲の周波数および８〜２０の範囲の振幅で振動する、電動ヘアブラシであって、皮脂および他の物質をユーザの頭皮および毛髪から除去するように適合されたブラシヘッドを備え、ブラシヘッドは、複数のラインまたは列のフィラメントの房を含み、フィラメントの房の各フィラメントは、その遠位端部がいくつかの部分に分かれている、電動ヘアブラシ。ブラシヘッドは、フィラメントの房のラインに隣接して位置付けられた複数のラインの中実の房部材をさらに含む。フィラメントの房は、中実の房部材より約１〜３ｍｍ高い。【選択図】図１
2018537196.tif 000002
【特許請求の範囲】
【請求項１】
頭皮および毛髪を清潔にするためのブラシヘッドを備えたヘアブラシであって、
動作中に、８〜２０°の範囲の角度にわたって５５Ｈｚ〜１２０Ｈｚの範囲の周波数で振動する駆動シャフトを備えたモーターを有するハンドルと、
前記ハンドルの前記駆動シャフトに取り外し可能に嵌めることができるブラシヘッドであって、前記ブラシヘッドは、前記ブラシヘッドの周縁部に向かって前記ブラシヘッドの半径方向に延びる、複数のラインまたは列の別々のフィラメントの房を有し、前記ブラシヘッドは、前記フィラメントの房のラインに隣接して延びる、複数のラインまたは列の中実の房をさらに含み、前記フィラメントの房は、前記中実の房より高い、ブラシヘッドと、
を備える、ヘアブラシ。
【請求項２】
請求項１に記載のヘアブラシにおいて、前記フィラメントの房の各フィラメントは、その遠位端部が３つの部分に分かれている、ヘアブラシ。
【請求項３】
請求項１に記載のヘアブラシにおいて、前記ブラシヘッドは、各ラインに５つのフィラメントの房を有する、離間した６つのラインのフィラメントの房と、各ラインに５つの中実の房を有する、離間した６つのラインの中実の房とを含む、ヘアブラシ。
【請求項４】
請求項１に記載のヘアブラシにおいて、前記フィラメントの房のラインは、前記ブラシヘッドの周りに均等に離間している、ヘアブラシ。
【請求項５】
請求項１に記載のヘアブラシにおいて、前記フィラメントの房のラインおよび前記ラインの中実の房は湾曲している、ヘアブラシ。
【請求項６】
請求項１に記載のヘアブラシにおいて、前記中実の房は、支柱要素である、ヘアブラシ。
【請求項７】
請求項１に記載のヘアブラシにおいて、前記中実の房は、ループの形態である、ヘアブラシ。
【請求項８】
請求項１に記載のヘアブラシにおいて、前記フィラメントは、１３〜１７ｍｍの範囲の高さを有し、前記中実の房は、前記フィラメントより１〜３ｍｍ短い高さを有する、ヘアブラシ。
【請求項９】
請求項８に記載のヘアブラシにおいて、前記フィラメントは、０．１７５〜０．２７ｍｍの範囲の直径を有し、前記中実の房は、１．５〜１．８ｍｍの範囲の直径を有する、ヘアブラシ。
【請求項１０】
請求項１に記載のヘアブラシにおいて、フィラメントの房の各ラインは、ポリマー材料を含み、前記中実の房は、ポリイミド、ポリエステル、ポリプロピレン、ＴＰＥ、またはシリコーンエラストマーである、ヘアブラシ。
【請求項１１】
請求項１に記載のヘアブラシにおいて、フィラメントの房の各ラインは、その両側の中実の房のラインによって境界付けられている、ヘアブラシ。
【請求項１２】
請求項１に記載のヘアブラシにおいて、中実の房の各ラインは、その両側のフィラメントの房のラインによって境界付けられている、ヘアブラシ。
【請求項１３】
ヘアブラシのハンドルと共に使用され、前記ヘアブラシのハンドルに取り外し可能に嵌めることができるブラシヘッドであって、
ブラシ基部組立体と、
前記基部組立体の周縁部の近くまで前記基部組立体の半径方向に延びる、複数の離間したラインまたは列のフィラメントの房と、
前記フィラメントの房のラインに隣接して延びる、複数のラインまたは列の中実の房であって、前記フィラメントの房は、前記中実の房より高い、複数のラインまたは列の中実の房と、
を備える、ブラシヘッド。
【請求項１４】
請求項１３に記載のブラシヘッドにおいて、各フィラメントの房は、遠位端部がいくつかの別々の部分に分かれている、ブラシヘッド。
【請求項１５】
請求項１３に記載のブラシヘッドにおいて、前記フィラメントの房は、前記中実の房より１〜３ｍｍの範囲で高い、ブラシヘッド。
【請求項１６】
請求項１３に記載のブラシヘッドにおいて、前記中実の房は、支柱要素である、ブラシヘッド。
【請求項１７】
請求項１３に記載のブラシヘッドにおいて、前記中実の房は、ループの形態である、ブラシヘッド。
【請求項１８】
請求項１３に記載のブラシヘッドにおいて、前記フィラメントの房のラインおよび前記中実の房のラインはいずれも、湾曲している、ブラシヘッド。
【請求項１９】
請求項１３に記載のヘアブラシにおいて、フィラメントの房の各ラインは、その両側の中実の房のラインによって境界付けられている、ヘアブラシ。
【請求項２０】
請求項１３に記載のヘアブラシにおいて、中実の房の各ラインは、その両側のフィラメントの房によって境界付けられている、ヘアブラシ。
【請求項２１】
ハンドルの駆動シャフトに取り外し可能に嵌めることができるブラシヘッド構造体と、
前記ブラシヘッド構造体の一部を形成する、複数の離間したフィラメントの房と、
前記ブラシヘッド構造体の面から外側に延びる、複数の離間したフィラメントの房および前記複数の離間したループ状構造体と、
を備える、ブラシヘッド。
【請求項２２】
請求項２１に記載のブラシヘッドにおいて、前記複数の離間したフィラメントの房および前記複数の離間したループ状構造体は、交互の幾何学的パターンで前記ブラシヘッド構造体の前記面上に分布している、ブラシヘッド。
【請求項２３】
請求項２１に記載のブラシヘッドにおいて、前記複数の離間したフィラメントの房および前記複数の離間したループ状構造体は、規則的または不規則的な幾何学的パターンで前記ブラシヘッド構造体の前記面上に分布している、ブラシヘッド。
【請求項２４】
請求項２１に記載のブラシヘッドにおいて、前記ブラシヘッド構造体の前記面上に分布した、離間したフィラメントの房の数および離間したループ状構造体の数は、６．４５１６平方センチメートル（１平方インチ）当たり約１３〜約２３の範囲である、ブラシヘッド。
【請求項２５】
請求項２１に記載のブラシヘッドにおいて、前記複数の離間したフィラメントの房と前記複数の離間したループ状構造体との間の高さの差は、約１ｍｍ〜約３ｍｍの範囲である、ブラシヘッド。
【請求項２６】
請求項２１に記載のブラシヘッドにおいて、前記複数の離間したフィラメントの房はそれぞれ、複数の多先端部フィラメントを含む、ブラシヘッド。
【発明の詳細な説明】
【技術分野】
【０００１】
[0001]本発明は、一般に、電動ヘアブラシに関し、より具体的には、毛髪をそろえること、もつれをほぐすこと、および頭皮マッサージを促進しながら、頭皮および毛髪からの、ふけ、ほこり、汚染物質、ヘアスタイリング剤、および他の異物の除去だけでなく、皮脂の除去の改善ももたらすように構成された、取り外し可能なブラシヘッドを備えたモーター付きのハンドルを有するこのようなヘアブラシに関する。
【背景技術】
【０００２】
[0002]典型的な手動のヘアブラシは、毛髪にブラシをかけ、場合によっては、毛の配置に応じて、頭皮にマッサージ効果を提供するように設計されている。しかしながら、これらは、典型的には、毛髪を清潔にするのにあまり効果的でなく、頭皮の皮脂、またはふけ、ほこり、汚染物質、ヘアスタイリング剤、もしくは他の異物などの他の物質を清潔にする／除去するのにも効果的でない。したがって、毛髪のもつれを避けながら、毛髪を浄化し、頭皮にケアを提供することができるヘアブラシがあることが望ましい。
【発明の概要】
【課題を解決するための手段】
【０００３】
[0003]したがって、本発明は、頭皮および毛髪を清潔にするためのブラシヘッドを備えたヘアブラシであり、ヘアブラシは、動作中に、８〜２０°の範囲の角度にわたって５５Ｈｚ〜１２０Ｈｚの範囲の周波数で振動する駆動シャフトを備えたモーターを有するハンドルと、その角度の駆動シャフトに取り外し可能に嵌めることができるブラシヘッドであって、ブラシヘッドは、ブラシヘッドの周縁部に向かってブラシヘッドの半径方向に延びる、複数のラインの別々のフィラメントの房を有し、房の各フィラメントは、遠位端部がいくつかの部分に分かれ、ブラシヘッドは、フィラメントの房のラインに隣接して延びる、複数のラインの中実の房をさらに含み、フィラメントの房は、中実の房より高い、ブラシヘッドと、を備える。
【０００４】
[0004]本発明はまた、頭皮および毛髪を清潔にするためのヘアブラシと共に使用され、このヘアブラシに取り外し可能に嵌めることができるブラシヘッドであって、ヘアブラシは、動作中に、選択された周波数および振幅で前後に振動し、ブラシヘッドは、ブラシヘッド基部組立体と、基部組立体の周縁部の近くまで基部組立体の半径方向に延びる、複数の離間したラインのフィラメントの房であって、各フィラメントの房は、遠位端部がいくつかの別々の部分に分かれている、複数の離間したラインのフィラメントの房と、フィラメントの房のラインに隣接して延びる、複数のラインの中実の房であって、フィラメントの房は、中実の房より高い、複数のラインの中実の房と、を備える、ブラシヘッドを含む。
【図面の簡単な説明】
【０００５】
【図１】[0005]本発明の電動ヘアブラシを示す分解組立図であり、１つのブラシヘッドの実施形態が電動ヘアブラシから分解して示されている。
【図２】[0006]図１のブラシヘッドの実施形態の斜視図である。
【図３Ａ】[0007]本発明のブラシヘッドの別の実施形態の斜視図である。
【図３Ｂ】[0008]図３Ａの実施形態の一部の斜視図である。
【図３Ｃ】[0009]図３Ｂの実施形態の変形形態の斜視図である。
【図３Ｄ】[00010]図３Ｂの実施形態の変形形態の斜視図である。
【図３Ｅ】[00011]図３Ｂの実施形態の別の変形形態の斜視図である。
【図４】[00012]図２のブラシヘッドの実施形態の変形形態を示す。
【図５】[00013]図２のブラシヘッドの実施形態の別の変形形態を示す。
【図６】[00014]本明細書に開示されるブラシヘッドのフィラメント部分の斜視図である。
【発明を実施するための形態】
【０００６】
[00015]本発明の電動ヘアブラシ１０は、駆動部材１６を振動させる、モーター１４を備えたハンドル１２を含む。モーターは、再充電可能なバッテリー１８によって駆動される。ハンドルの動作は、マイクロプロセッサ２０およびオン／オフスイッチ２２によって制御される。ハンドル１２は、大まかに図示されており、その構造および構成は、変化し得る。ハンドル１２に取り外し可能に取り付けられているものは、頭皮ブラシヘッド２６であり、分解して図示されている。ブラシヘッド２６は、基部組立体２８を含み、基部組立体２８は、ハンドル１２に取り外し可能に取り付けられ、基部組立体２８には、毛の配列３０が据え付けられる。ブラシヘッドの毛の配列は、頭皮および毛髪を浄化すること、頭皮から皮脂および他の物質を除去すること、毛髪のもつれをほぐすこと、および頭皮をマッサージすることを含む、いくつかの特定の利益を提供するように構成および設計される。毛およびそれらの配列はまた、頭皮の毛包の詰まりを防ぐように作用する。
【０００７】
[00016]図２は、ブラシヘッドの一実施形態を示す。この実施形態は、基部組立体３２と、全体的に３４で図示された複数の列またはラインのフィラメントの房とを含み、フィラメントの房は、基部組立体上を半径方向に、ブラシヘッドの中心付近の内点からその周縁部３６付近まで延びる。フィラメントの房は、１つまたは複数のフィラメントを含む。この実施形態では、６つのラインのフィラメントの房があり、各ラインは、５つの別々のフィラメントの房を含むが、これは変化し得る。さらに、房の各ラインは、わずかに湾曲している。フィラメントの房３４の隣接する各ラインは、単一の中実の房部材３８のラインである。図２では、中実の房部材は、ポリマー（例えば、エポキシの先端部を備えたナイロンまたはポリイミドの支柱）である。図示の実施形態の単一の中実の房部材の各ラインも、わずかに湾曲し、フィラメントの房３４の湾曲に一致する。図示の実施形態では、１つのラインにつき４つの中実の房部材があるが、この数は、やはり変化し得る。好適なブラシの構造は、４４．４５〜６３．５ｍｍ（１．７５〜２．５インチ）、好ましくは５３．３４ｍｍ（２．１インチ）の、変動する基部組立体直径を有する。すべてのタイプの房の全体的な房の密度は、６．４５１６平方センチ（１平方インチ）当たり１３〜２３の房である。好適な房の密度は、６．４５１６平方センチ（１平方インチ）当たり約１６の房である。
【０００８】
[00017]図示の実施形態では、個別のフィラメントは、その先端部がテーパー状であり、さらに、フィラメントの遠位端部において、複数の個別の部分、好ましくは３つの個別の部分に分かれている。この分かれた部分３７は、図６に最も明確に図示されるように、長さが約１ｍｍ〜３ｍｍである。フィラメントが中実の房部材３８よりいくぶん高いことが重要である。フィラメントと中実の房との長さの差は、１ｍｍ〜３ｍｍとすべきであり、２ｍｍが好ましい。
【０００９】
[00018]図示の実施形態では、フィラメントの房３４は、例えば（ナイロン）、ポリエステル、シリコーンもしくはセルロース、（ＰＢＴ）、および（ＴＰＥ）を含む、ポリマー材料または混合物から作られるが、中実の房は、ポリイミド、ポリエステル、ポリプロピレン、ＴＰＥ、またはシリコーンエラストマーを含むさまざまな材料から作られ得る。フィラメントは、０．１８〜０．２８ｍｍ（０．００７〜０．０１１インチ）、好ましくは０．００９インチ（０．２２ｍｍ）の範囲の直径、および１３〜１７ｍｍの範囲の高さを有する。中実の房は、１．４ｍｍ〜１．８ｍｍの範囲の直径を有し、通常、それらの長さにわたってテーパーを有して成型され、それらの先端部に、同じまたは異なる材料、例えばエポキシ、のボールを含むこともできる。フィラメントの数およびフィラメントの長さは、角質層および毛髪の毛包を含む頭皮の保護層を損傷せずに、皮脂除去に適した効率的な屈曲および先端部速度を提供するように選択される。フィラメントの先端部は、頭皮の種々の量の角質除去をもたらすさまざまな方法で仕上げられ、例えば平坦に切断されるか、丸みを帯びるか、または磨かれて、鋭利なエッジを除去することができる。フィラメントの先端部は、テーパー状であるか、旗付きである（ｆｌａｇｇｅｄ）か、羽毛状であるか、または分かれていてよい。好適な実施形態は、３つのテーパー状先端部分を備えた羽毛状フィラメントである。各テーパー状先端部は、元のフィラメントより小さく、かつ可撓性が高く、元のフィラメントは、ブラシヘッド構造において複数のフィラメント（すなわち房）として提示された際に、毛髪を貫通するのに十分強力であり、また、柔軟な先端部が頭皮を優しく浄化し、皮脂および他の物質を頭皮および毛髪から除去することを可能にし得る、十分な個別の硬さを各フィラメントに与える。
【００１０】
[00019]図示の実施形態のブラシヘッドは、５５Ｈｚ〜１２０Ｈｚの範囲の周波数で、ブラシ基部の振幅が８〜２０°のピーク・トゥ・ピークで、ハンドルにより振動する。好適な構造は、８５Ｈｚおよび１４°のピーク・トゥ・ピークである。
【００１１】
[00020]この構造は、皮脂および他の物質を頭皮から除去すると共に、毛包の詰まりを避け、また、皮脂および他の物質を頭髪から除去するのを助けるという利点を有する。さらに、この構造は、より高いフィラメントの房を十分に屈曲させるように十分な力がブラシに加えられたときに、中実の房３８がマッサージ効果のために頭皮に到達する機能を有する。
【００１２】
[00021]図３Ａおよび図３Ｂは、代替的な構造を示し、これは、図２のものと同一の分かれた端部４２を備えた複数のラインのフィラメントの房を有するが、単一の中実の房の代わりに、この構造は、ループ部材４４のラインを含む。ループ構成は、図３Ｂに詳細に示されている。ループ４４は、０．５６ｍｍ〜１．０２ｍｍ（０．０２２インチ〜０．０４．インチ）、好ましくは０．８１ｍｍ（０．０３２インチ）の直径を有し、その隣接したフィラメントの房より、同じ１ｍｍ〜３ｍｍだけ短く、２ｍｍが好適である。ループ部材は、単一の中実の房を有する構造とはいくぶん異なる感覚を頭皮に生じる。ループ４４の形状は、ループ方向を回転させることによってハンドルによりもたらされる音波運動（ｓｏｎｉｃ  ｍｏｔｉｏｎ）／振動から撓む房からの動的慣性（ｄｙｎａｍｉｃ  ｉｎｅｒｔｉａ）の量を変更し、または別様に調節する機会を提供する。一実施形態では、ループは、軸方向半径（ａｘｉａｌ  ｒａｄｉｕｓ）に向かって開き、振動運動の方向に、より接しているが、別の実施形態では、ループ開口部は、より振動の方向にあり、より多くの毛先端部の運動を生じる。図示の実施形態では、ループは、中心に近い最も幅広い地点が２．５４ｍｍ〜３．８１ｍｍ（０．１インチ〜０．１５インチ）の開口部を有し、３．０５ｍｍ（０．１２インチ）が好適であり、その上端部および下端部は先に行くほど徐々に細くなる。ループは、さらに発泡剤もしくはシャンプーまたは他の発泡製剤を最適化するように形成され得る。図３Ｃ〜図３Ｅは、他のループの実施形態を示す。図３Ｃは、外側ループ部材４５と、さまざまな形状の１つまたは複数の内側ループ４６−４６と、を備えたバブルワンド状である。別のワンドの実施形態が図３Ｄに示されており、外側ループ４７および内側バブル部材４９を備えている。図３Ｅは、中実のパドルの実施形態５１を示す。中実のパドルは、ループ要素として単独で使用されてもよく、または、流体を開いたループワンド部材に通して、より多くの泡立ちおよび／または流体流の増加を引き起こすために開いたループ部材を備えた逆位相の又は非同調的な（ｏｕｔ−ｏｆ−ｐｈａｓｅ）部材として使用され得る。しかしながら、いずれの場合も、フィラメントの房は、ループ部材より１〜３ｍｍ高い。
【００１３】
[00022]図４は、別の実施形態である、図２のブラシヘッドの変形形態を示すブラシヘッドを示す。この実施形態では、羽毛状の分かれた遠位端部を備えた１列のフィラメント４８が、フィラメントの両側に隣接した中実の房５０、５２の列によって境界付けられている。フィラメントおよび中実の房の構成は、前記の実施形態で説明したとおりである。ループ部材が中実の房５０および５２に置き換わり得ることを理解されたい。
【００１４】
[00023]図５は、図２のブラシヘッドの別の変形形態である、別の実施形態を示す。この実施形態では、中実の房５４の各列は、フィラメントの房５６の列によって境界付けられている。フィラメントの房および中実の房の寸法は、図２の実施形態と同じである。また、ループは、中実の房に置き換わって、さらなる変形形態を提供し得る。
【００１５】
[00024]本明細書に開示されたブラシヘッドの実施形態は、皮脂および他の物質／汚染物質、例えば汚染粒子または他のヘアトリートメント粒子を頭皮および毛髪から好都合かつ安全に除去し、毛包のつまりを防ぐ機能を有する。さらに、ブラシヘッドの要素、すなわち、個別の分かれたフィラメントおよび中実の支柱またはループ部材は、浄化効果に加えて、快適なマッサージ効果を頭皮にもたらす。
【００１６】
[00025]本発明の好適な実施形態が、例示目的で開示されてきたが、さまざまな変更、変形および置換が、以下に続く特許請求の範囲により定められる、本発明の趣旨から逸脱せずに、実施形態に組み込まれ得ることを理解されたい。
【図１】
2018537196.tif 000003
【図２】
2018537196.tif 000004
【図３Ａ】
2018537196.tif 000005
【図３Ｂ】
2018537196.tif 000006
【図３Ｃ】
2018537196.tif 000007
【図３Ｄ】
2018537196.tif 000008
【図３Ｅ】
2018537196.tif 000009
【図４】
2018537196.tif 000010
【図５】
2018537196.tif 000011
【図６】
2018537196.tif 000012
【国際調査報告】
2018537196.tif 000013
2018537196.tif 000014
2018537196.tif 000015